(57)【要約】      （修正有）【課題】額縁に固定される物が大きな物であっても安定して立設させることを可能とし、組み立て性が容易な額縁を提供する。【解決手段】絵画・写真・装飾板・ジグソーパズル等となる薄板形状物を固定する額縁本体と裏板及び、少なくとも一辺が直線である板状に形成された二つの脚板６０を有し、前記額縁本体の裏面外周に沿って前記脚板の厚みと略同じ幅とした溝を有されている。【選択図】図１
0003116545.tif 000002
【実用新案登録請求の範囲】
【請求項１】
絵画・写真・装飾板・ジグソーパズル等となる薄板形状物を固定する額縁本体と裏板及び、少なくとも一辺が直線である板状に形成された二つの脚板を有し、前記額縁本体の裏面外周に沿って前記脚板の厚みと略同じ幅とした溝を有し、前記溝に前記二つの脚板における直線状の一辺を各々嵌入し、前記額縁本体と前記二つ脚板によって立設可能としたことを特徴とする額縁。
【請求項２】
請求項１において、前記額縁本体は、両端が傾斜した横長の台形形状に形成された少なくとも三つの枠板で囲繞され、前記溝は、前記枠板の横長の台形形状の上辺及び底辺と平行に各々形成されていることを特徴とする額縁。
【請求項３】
請求項１又は２において、前記額縁本体の裏面に回転自在に軸着され、前記脚板を係止する脚板係止片を有し、前記脚板には、前記脚板係止片と係合する係合部を直線状とされた少なくとも一辺の両端に有していることを特徴とする額縁。
【請求項４】
請求項１乃至３のいずれか１項において、前記額縁本体の裏面に回転自在に軸着され前記裏板を係止する裏板係止片を有し、前記裏板は、台形形状に形成された枠板と同じ数の保持板で構成されていることを特徴とする額縁。
【考案の詳細な説明】
【技術分野】
【０００１】
本考案は、絵画・写真・装飾板・ジグソーパズルなどを固定する額縁に関するものである。
【背景技術】
【０００２】
従来の額縁は、方形や円形等とした形状の枠体となる内側に、ガラス・合成樹脂製の透明素材で形成された透明板を挿入し、この透明板の裏面に、絵画・写真・装飾板・ジグソーパズルとなる薄板形状物を配置させ、この薄板形状物に裏面に、不透明素材である木製の板や厚紙又は樹脂製の板で形成された裏板を重ね合わせて薄板形状物を固定するものである。また額縁は、壁などにフックを固着し、該フックに掛止して使用するものと、額縁を立設させて使用するものがある。
【０００３】
フックに掛止して使用される額縁は、フックを壁に固着する必要性があり、壁に傷を付ける要因となる共に、フックで掛止する額縁は、使用する場所が制限されている。これに対して、立設させて使用する額縁は、設置する場所は、どのような場所でも設置することができ、額縁の設置場所は、制限されるものではない。この立設させて使用する額縁には、特開平１０−２３４５４２号公報の示すような額縁があった。この額縁は、枠の裏面に取出し収納が可能とされた支持脚を有し、立設させる際には、支持脚を引き出すように回動させて使用するものである。
【０００４】
しかし、立設させて使用する額縁で、回動自在の支持脚を用いる場合において、額縁に固定される絵画・写真・装飾板・ジグソーパズルなどの大きな薄板形状物となると、額縁が不安定となり、立設した状態を保つことが困難な問題がある。そこで、大きな薄板形状物を固定する場合においても、安定して立設させることができ、安価に製造できる額縁が求められていた。
【特許文献１】特開平１０−２３４５４２号公報
【考案の開示】
【考案が解決しようとする課題】
【０００５】
そこで、本考案は、上記従来技術の問題点に斯かる実情に鑑みなされたもので、額縁に固定される物が大きな物であっても安定して立設させることを可能とし、組み立て性が容易な額縁を提供することを課題とする。
【課題を解決するための手段】
【０００６】
請求項１記載の考案は、絵画・写真・装飾板・ジグソーパズル等となる薄板形状物を固定する額縁本体と裏板及び、少なくとも一辺が直線である板状に形成された二つの脚板を有し、前記額縁本体の裏面外周に沿って前記脚板の厚みと略同じ幅とした溝を有し、前記溝に前記二つの脚板における直線状の一辺を各々嵌入し、前記額縁本体と前記二つ脚板によって立設可能としたことを特徴とする。
【０００７】
請求項２記載の考案は、請求項１において、前記額縁本体は、両端が傾斜した横長の台形形状に形成された少なくとも三つの枠板で囲繞され、前記溝は、前記枠板の横長の台形形状の上辺及び底辺と平行に各々形成されていることを特徴とする。
【０００８】
請求項３記載の考案は、請求項１又は２において、前記額縁本体の裏面に回転自在に軸着され、前記脚板を係止する脚板係止片を有し、前記脚板には、前記脚板係止片と係合する係合部を直線状とされた少なくとも一辺の両端に有していることを特徴とする。
【０００９】
請求項４記載の考案は、請求項１乃至３のいずれか１項において、前記額縁本体の裏面に回転自在に軸着され前記裏板を係止する裏板係止片を有し、前記裏板は、台形形状に形成された枠板と同じ数の保持板で構成されていることを特徴とする。
【考案の効果】
【００１０】
請求項１記載の考案によれば、絵画・写真・装飾板・ジグソーパズル等となる薄板形状物を固定する額縁本体と裏板及び、少なくとも一辺が直線である板状に形成された二つの脚板を有し、前記額縁本体の裏面外周に沿って前記脚板の厚みと略同じ幅とした溝を有され、前記溝に前記脚板の一辺を各々嵌入し、前記額縁本体と前記二つ脚板によって立設させることによって、大きな物であっても安定して立設させることを可能する。また、溝に脚板を嵌入するだけで額縁を立設させることができる組立て性が容易な額縁を提供することができる。更に額縁を立設させることを可能としている為、従来の吊下げに比べ、額縁の設置場所が制限されることを少なくできる。
【００１１】
請求項２記載の考案によれば、請求項１に記載の額縁本体は、両端が傾斜した横長の台形形状に形成された少なくとも三つの枠板で囲繞され、前記溝は、前記枠板の横長の台形形状の上辺及び底辺と平行に各々形成することによって、例えば、各々枠板の断面形状を同じ形状にすることも可能としている為、枠板を木材で形成する場合には、角材を押出加工すると、１度の加工処理で同じ断面構造をとした枠板を容易に製造することを可能としている。
【００１２】
請求項３記載の考案によれば、前記額縁本体の裏面に回転自在に軸着され、前記脚板を係止する脚板係止片を有し、前記脚板には、前記脚板係止片と係合する係合部を直線状とされた少なくとも一辺の両端に有することによって、脚板に形成された係合部と脚板係止片と係合させ、額縁本体に嵌入した脚板が脱落することを防止することができる。
【００１３】
請求項４記載の考案によれば、前記額縁本体の裏面に回転自在に軸着され前記裏板を係止する裏板係止片を有し、前記裏板は、台形形状に形成された枠板と同じ数の保持板で構成することによって、裏板の中央を開口した状態にすることを可能とし、例えば、額縁本体に光を透過する装飾板や透明なジグソーパズルを固定した場合には、裏面からの光源によって、額縁本体に固定される装飾板や、ジグソーパズルが光を放ち趣向の高い演出を行うことができる。
【考案を実施するための最良の形態】
【００１４】
所望により透明板を挿入し、額縁本体と裏板を以て、絵画・写真・装飾板・ジグソーパズルなどを固定する額縁であって、横長の台形形状に形成された少なくとも三つの枠板で囲繞された額縁本体と、少なくとも一辺を直線とする板状且つ透明素材で形成された二つの脚板と、前記額縁本体の裏面に回転自在に軸着され前記脚板を係止する脚板係止片と、前記額縁本体の裏面に回転自在に軸着され前記裏板を係止する裏板係止片とを有し、前記枠板の台形形状の上辺及び底辺と平行とし且つ前記脚板の厚みと略同じ幅とした溝が形成され、前記脚板には、前記脚板の少なくとも一辺の両端に前記溝の深さと略等しい幅に形成された係止突片が形成された額縁である。
【００１５】
また、裏板は、枠板より僅かに短い横長の台形形状に形成され、枠板と同数とされる保持板で構成されることもある。
【実施例１】
【００１６】
以下、図を参照して、本考案を適用した実施の形態について説明する。図１は、額縁の外観を示す図である。額縁１は、絵画・写真・装飾板・ジグソーパズル・ステンドガラス等となる薄板形状物２を固定する為の枠である。この額縁１は、薄板形状物２の表面の保護を目的とし、額縁１の形状に応じた形で、透明素材によって形成された透明板８０と、薄板形状物２の裏面の保護及び、薄板形状物の固定を目的とする裏板４０と、額縁本体１０を形成する枠板１２で形成されている。額縁１は、薄板形状物２を固定し、壁面に設けられたフックなどに掛止して使用したり、壁に立て掛けるなど立設させて使用されるものである。
【００１７】
実施例の額縁１は、方形状に形成された額縁本体１０と、２つの脚板６０で構成されている。額縁本体１０の裏面に２つの脚板６０を取り付け、この額縁本体１０と２つの脚板６０によって立設可能としているものである。額縁１を立設可能とすることにより、額縁１を吊下げて使用する時に比べ、設置場所を限定しない利点がある。また、額縁本体１０と２つの脚板６０によって床面に対して３辺によって支持されており、額縁１に大きな薄板形状物２を固定する場合においても、安定して使用することが可能である。そして、額縁本体１０と、２つの脚板のみとするために、安価に製造することも可能である。
【００１８】
次に、図１と図２を用いて、額縁本体１０の説明を行う。実施例の額縁本体１０は、４つの枠板１２で構成され、額縁本体１０の裏面には、脚板係止片２０と、裏板係止片２２と、吊下金具２４が設けられている。
【００１９】
図２は４つの枠板１２を示している。４つの枠板１２は、各々長手方向の両端を斜め４５度に切断された台形形状の板に形成され、該枠板１２の裏面で台形の上辺にあたる１辺を、段状に切欠きされた段差が形成されている。また枠板１２の裏面で、短手方向の中心付近に、長手方向に平行な溝１８が、枠板１２の両端まで形成されており、各々断面の形状を全て同じとした枠板１２である。
【００２０】
このように枠板１２の断面形状を全て同じ形状にすることによって、枠板１２を木材で形成する場合には、角材を押出加工すると、１度の加工処理で同じ断面構造をとした枠板１２を容易に製造することを可能としている。
【００２１】
この４つの枠板１２の４５度に切断された斜辺同士を、ほぞ組や、Ｌ字型の楔を使用して接合することによって、図３に示すように開口１４を囲繞し、裏面内周に薄板形状物を固定する為の段差が形成された額縁本体１０となる。このように、４つの枠板１２から、額縁本体１０の組立てを非常に容易に行うことが可能である。
【００２２】
また、図３は、額縁本体１０の裏面を示す図であり、額縁本体１０の裏面の溝１８の内側で段差近傍の各所に裏板係止片２２が軸着されている。また、脚板係止片２０は、裏板係止片２２と同様であるが、溝１８の近傍で、脚板６０を該溝に嵌入した時の脚板６０に形成した係合部の位置に対応した位置に軸着している。脚板係止片２０は、該溝１８の内側又は外側のどちらでも構わないが、内側に軸着すると、脚板６０を使用しない場合において、裏板係止片２２として使用できる利点がある。
【００２３】
裏板係止片２２と脚板係止片２０は、同一形状に形成されている。その形状は、方形状に形成された板で、一方の短辺の近傍に、図示しないが軸穴が形成され、木ねじによって回動自在に軸支されている。
【００２４】
また、額縁１を吊下げて使用する際に使われるループ状に形成された吊下金具２４が、額縁本体１０の４つの角のいずれ２つの角の近傍に設けられている。また、吊下金具２４は、４つの角の近傍のいずれか３つの角の近傍に設けてもよく、また、４つの角の近傍に各々に設けてもよい。
【００２５】
次に、図４を用いて、脚板６０の説明を行う。実施例の脚板６０は、３つの辺からなる３角形の板状に形成されており、透明素材の合成樹脂で形成されている。実施例の脚板６０の厚みは、該溝の幅等しく形成されている。また、この厚みを増す毎に脚板の強度を向上させることもできる。実施例の脚板６０は、３角形形状に形成されているが、４角形や台形、Ｖ字形など形状に形成してもよく、少なくとも１辺を直線状とし、他の辺は、直線又は曲線とすることも可能である。
【００２６】
また、脚板６０には、図４（Ａ）に示すように脚板６０の一辺の直線状とされた両端に、係合部となる凸形状に形成された係合突片６４が形成されている。係合突片６４は、係合突片６４が形成される辺と平行に形成され、凸形状の先端は、搬送時や組み立て時の怪我を防止するために、円弧状とされている。
【００２７】
また、実施例では、係合部を凸形状に形成された係合突片６４としたが、脚板６０の直線状に形成された一辺の縁から溝１８の深さと略等しい位置に、その辺と平行な長穴を形成するようにすることによっても同様の効果を得ることができる。
【００２８】
また、図４（Ｂ）に示すように、脚板６０の直線とされる３辺全てに、係合突片６４を形成するようにしても構わない。このように３辺全てに係合突片６４を形成し、係合突片６４が形成されている辺のいずれかを額縁本体１０の裏面に形成された溝１８に嵌入することによって、３通りの角度で額縁１を立設させて使用することができる。
【００２９】
次に、図５を用いて裏板の説明を行う。実施例の裏板４０は、図５（Ａ）に示すように４つの保持板４２で構成されている。保持板４２は、両端を斜め４５度に切断した横長台形であって、４つの枠体１２の各段差に重なる形状及び大きさに各々形成され、不透明な素材である木製で形成されている。実施例の裏板４０は木製としたが、これに限定されることなく、様々な素材で形成してもよく、また透明・不透明素材は、どちらを使用しても構わない。
【００３０】
保持板４２を、図５（Ａ）に示すように、台形形状に形成された上辺と底辺のうち、短辺を内側となるように、各保持板４２の斜辺同士を組み合わせると、中央に開口４４を有する裏板４０となる。また、このような中央に開口４４を有する裏板４０を、各保持板４２を組み合わせることなく一体で形成することも可能ではあるが、保持板４２の如く、４つに分割することよって、製造コストを安価にすることが可能となる。
【００３１】
また、裏板４０を図５（Ｂ）に示すように、方形状の板に形成するようにしてもよい。また額縁１の背後に光源を設け、光を透過する装飾板・透明なジグソーパズル・ステンドガラスとなる薄板形状物２を固定する場合には、裏板４０の素材を透明素材となる合成樹脂やガラスとすることによって、光源からの光が薄板形状物２を透過し、薄板形状物２をより美しく見せることができる。
【００３２】
図６及び図７を用いて、額縁１の組立て例を説明する。まず図６に示すように額縁本体１０に、薄板形状物２の収納を行う。具体的には、額縁本体１０の裏面の開口１４の周囲に形成された段差内に、薄板形状物２を保護する透明板８０と、絵画・写真・装飾板・ジグソーパズル・ステンドガラス等となる薄板形状物２と、４つ保持板４２からなる裏板４０を重ねて収納する。４つの保持板４２からなる裏板４０は、保持板４２が台形状に形成されている為に、４つ保持板４２を台形の斜辺同士を組合せすることによって、保持板４２が、内側方向に対して摺動したり、外れたりすることがない。また、透明板８０は、薄板形状物２の種類に応じて、収納しない場合もある。
【００３３】
次に、額縁本体１０の裏面で、４辺となる枠板１２の、いずれか対向した２辺に形成された溝１８に、脚板６０の、両端に係止突片６４が形成されている直線状の一辺を嵌入する。その後、図７に示すように、裏板係止片２２を額縁本体１０の内側方向に回動させ、裏板４０となる保持版４２を保持する。これにより、額縁本体１０に収納された薄板形状物２は、固定されるようになる。また、裏板係止片２２と同様に、脚板係止片２０を額縁本体１０の外側方向に回動させ、溝１８に嵌入した脚板６０に形成されている係合部である係止突片６４と係合させることによって、脚板６０が、該溝１８内を滑動することが無いように固定することができる。このように脚板６０を固定すると、額縁１は、額縁本体１０と、２つの脚板６０によって立設させることが可能となる。
【００３４】
図８は、額縁１を立設させ、その背後に、光源を設けた状態を示す例である。額縁本体１０に、光を透過する装飾板・透明なジグソーパズル・ステンドガラスとなる薄板形状物２を固定した場合に、裏面からの光源によって、額縁本体１０に固定される装飾板や、ジグソーパズル、ステンドガラスが光を放ち趣向の高い演出を行うことができる。
【００３５】
以上説明したように構成することにより、額縁に固定される物が大きな物であっても安定して立設させることを可能とし、組み立て性が容易な額縁を提供することができる。また、好ましい実施例を挙げて本考案を説明したが、本考案はその実施例に限定されるものではなく、本考案の要旨の範囲内で種々に改変できる。
【００３６】
例えば、実施例の額縁本体１０は、各々長手方向の両端を斜め４５度に切断された台形形状の板に形成された４つの枠板１２で構成されているが、長手方向の両端を斜め３０度に切断された台形形状の板に形成された３つの枠板１２で構成し、３０度に切断された斜辺同士を接合し正三角形の額縁本体１０とすることが可能である。また、これに限らず額縁本体１０は、少なくとも３つの辺を有した形状に形成されていれば、どのような形状であってもよい。
【００３７】
また、実施例の額縁本体１０は、４つの木製の枠板１２を接合して形成しているが、合成樹脂素材や金属素材で形成してもよいし、額縁本体１０の各辺を予め接合した状態で形成してもよい。
【図面の簡単な説明】
【００３８】
【図１】本考案に係る額縁の外観を示す図である。
【図２】本考案に係る額縁の枠板を示す図である。
【図３】本考案に係る額縁の裏面を示す図である。
【図４】本考案に係る額縁の脚板を示す図である。
【図５】本考案に係る額縁の裏板を示す図である。
【図６】本考案に係る額縁の額縁本体の組立てを示す図である。
【図７】本考案に係る額縁の脚板の組立てを示す図である。
【図８】本考案に係る額縁の使用例を示す図である。
【符号の説明】
【００３９】
１    額縁
２    薄板形状物
１０  額縁本体
１２  枠板
１４  開口
１８  溝
２０  脚板係止片
２２  裏板係止片
２４  吊下金具
４０  裏板
４２  保持板
４４  開口
６０  脚板
６４  係合突片
８０  透明板
【図１】
0003116545.tif 000003
【図２】
0003116545.tif 000004
【図３】
0003116545.tif 000005
【図４】
0003116545.tif 000006
【図５】
0003116545.tif 000007
【図６】
0003116545.tif 000008
【図７】
0003116545.tif 000009
【図８】
0003116545.tif 000010